(57)【要約】      （修正有）【課題】御守りを常時携帯できるように、常時携帯する携帯情報通信端末に御守りを収める機能をもたせ、御守りと一体化したスマートフォンケースを提供する。【解決手段】全面カバー型のスマートフォン（携帯情報通信端末）ケースの内側に御守りを収納し神社名を入れ御守りとスマートフォンを一体化する。あるいは、背面と側面をカバーするスマートフォン（携帯情報通信端末）ケースの内側に御守りを収納し神社名を入れ一体化しても良い。【選択図】図１
0003166135.tif 000002
【実用新案登録請求の範囲】
【請求項１】
スマートフォン（携帯情報通信端末）のケース（前面カバー型、背面と側面のカバー型、側面カバー型、背面貼り付け型等）にお守りの機能（神社・仏閣の名称・お守りの
目的の文字入れを行い入魂・祈祷・祈願を行なったもの）をもたせる事を特徴としたお守り
【考案の詳細な説明】
【技術分野】
【０００１】
常時携帯する必要性を満たした、お守りの機能（神社・仏閣の名称・お守りの目的の文字入れを行い入魂・祈祷・祈願を行なったもの）を備えたスマートフォンケース
【背景技術】
【０００２】
神社・仏閣などで授与されるお守りは該当神社・仏閣で入魂・祈祷・祈願され授与された本人が信心し常時携帯することを必要としているが、従来の巾着型に見られるお守りは携帯方法において常時持ち運ぶ（身につけておく）事が難しく、技術的にお守り本来の常時携帯の必要性を満たしていなかった。
【０００３】
この常時携帯の必要性を満たす事を考えた結果、現代人が常時携帯している物としてスマートフォン（携帯情報通信端末）があり、このスマートフォン（携帯情報通信端末）のケースにお守りの機能（神社・仏閣名称及びお守りの目的の文字入れを行い入魂・祈祷・祈願を行なったもの）を加える事により技術的に常時携帯性の必要性を満たす事が可能となった
【考案の概要】
【考案が解決しようとする課題】
【０００４】
従来の一般的な構造（巾着型が主流）では常時携帯が必要なお守りの用件を満たすことが難しく、これを解決する技術的考案が必要と考えた
【課題を解決するための手段】
【０００５】
現代人が必ず携帯しているスマートフォン（携帯情報通信端末）を収めるケースにお守りの機能（神社・仏閣の名称・お守りの目的の文字入れを行い入魂・祈祷・祈願を行なったもの）を備えることで解決策を考案した。
【考案の効果】
【０００６】
本考案により現代人が必ず携帯しているスマートフォン（携帯情報通信端末）を収めるケースにお守りの機能（神社・仏閣の名称・お守りの目的の文字入れを行い入魂・祈祷・祈願を行なったもの）をもたせることで技術的に常時携帯する必要性を満たすことが可能となった
【図面の簡単な説明】
【０００７】
【図１】図１は全面カバー型のスマートフォン（携帯情報通信端末）ケース内側、または外側に神社・仏閣の名称・お守りの目的の文字入れをしたケースの図例である
【図２】図２は背面と側面をカバーするスマートフォン（携帯情報通信端末）ケースの裏面（外側）に神社・仏閣の名称・お守りの目的の文字入れをしたケースの図例である
【図３】図３は側面をカバーするスマートフォン（携帯情報通信端末）ケースの横面（外側）に神社・仏閣の名称・お守りの目的の文字入れをしたケースの図例である
【図４】図４は背面に貼り付けるスマートフォン（携帯情報通信端末）ケース（シート）裏面（外側）に神社・仏閣の名称・お守りの目的の文字入れをしたケースの図例である
0003166135.tif 000003
【手続補正書】
【提出日】平成22年8月27日(2010.8.27)
【手続補正１】
【補正対象書類名】明細書
【補正対象項目名】全文
【補正方法】変更
【補正の内容】
【考案の詳細な説明】
【技術分野】
【０００１】
常時携帯する必要性を満たした、御守りを収める機能性をもち、御守りと一体化したスマートフォンケース
【背景技術】
【０００２】
神社・仏閣などで授与される御守りは該当神社・仏閣で入魂・祈祷・祈願され授与された本人が信心し常時携帯することを必要としているが、従来の巾着型に見られる御守り
は携帯方法において常時持ち運ぶ（身につけておく）事が難しく、御守りが必要とする常時携帯の用件を技術的に満たしていなかった。
【０００３】
この常時携帯の必要性を満たす事を考えた結果、現代人が常時携帯している物としてスマートフォン（携帯情報通信端末）があり、このスマートフォン（携帯情報通信端末）のケースに御守りを収める機能性をもたせ、一体化することにより、御守りが必要とする常時携帯の用件を技術的に満たす事が可能となった。
【考案の概要】
【考案が解決しようとする課題】
【０００４】
神社・仏閣などで授与される御守りは該当神社・仏閣で入魂・祈祷・祈願され授与された本人が信心し常時携帯することを必要としているが、従来の巾着型に見られる御守り
は携帯方法において常時持ち運ぶ（身につけておく）事が難しく、御守りが必要とする常時携帯の用件を技術的に満たしていなかった。
【課題を解決するための手段】
【０００５】
現代人が必ず携帯しているスマートフォン（携帯情報通信端末）を収めるケースに御守りを収める機能をもたせかつ、御守りと一体化したスマートフォン（携帯情報通信端末）ケースを考案した。
【考案の効果】
【０００６】
現代人が必ず携帯しているスマートフォン（携帯情報通信端末）を収めるケースに御守りを収める機能をもたせかつ、御守りと一体化したスマートフォン（携帯情報通信端末）ケースの考案したことにより、御守りが必要とする常時携帯の用件を技術的に満たす事が可能となった。
【図面の簡単な説明】
【０００７】
【図１】図１は全面カバー型のスマートフォン（携帯情報通信端末）ケースの内側に御守りを収納し神社名を入れ一体化したケースの図例である。
【図２】図２は背面と側面をカバーするスマートフォン（携帯情報通信端末）ケースの内側に御守りを収納し神社名を入れ一体化したケースの図例である。
【図３】図３は側面をカバーするスマートフォン（携帯情報通信端末）ケースの内側に御守りを収納し神社名を入れ一体化したケースの図例である。
【手続補正２】
【補正対象書類名】実用新案登録請求の範囲
【補正対象項目名】全文
【補正方法】変更
【補正の内容】
【実用新案登録請求の範囲】
【請求項１】
スマートフォン（携帯情報通信端末）のケース（全面カバー型、側面・背面カバー型、側面カバー型  等）に御守りを収納する機能性をもたせかつ、一体化したスマートフォンケース
【手続補正４】
【補正対象書類名】図面
【補正対象項目名】全図
【補正方法】変更
【補正の内容】
0003166135.tif 000004
【手続補正書】
【提出日】平成22年9月7日(2010.9.7)
【手続補正１】
【補正対象書類名】明細書
【補正対象項目名】全文
【補正方法】変更
【補正の内容】
【考案の詳細な説明】
【技術分野】
【０００１】
常時携帯する必要性を満たした、御守りを収める機能性をもち、御守りと一体化したスマートフォンケース
【背景技術】
【０００２】
神社・仏閣などで授与される御守りは該当神社・仏閣で入魂・祈祷・祈願され授与された本人が信心し常時携帯することを必要としているが、従来の巾着型に見られる御守り
は携帯方法において常時持ち運ぶ（身につけておく）事が難しく、御守りが必要とする常時携帯の用件を技術的に満たしていなかった。
【０００３】
この常時携帯の必要性を満たす事を考えた結果、現代人が常時携帯している物としてスマートフォン（携帯情報通信端末）があり、このスマートフォン（携帯情報通信端末）のケースに御守りを収める機能性をもたせ、一体化することにより、御守りが必要とする常時携帯の用件を技術的に満たす事が可能となった。
【考案の概要】
【考案が解決しようとする課題】
【０００４】
神社・仏閣などで授与される御守りは該当神社・仏閣で入魂・祈祷・祈願され授与された本人が信心し常時携帯することを必要としているが、従来の巾着型に見られる御守り
は携帯方法において常時持ち運ぶ（身につけておく）事が難しく、御守りが必要とする常時携帯の用件を技術的に満たしていなかった。
【課題を解決するための手段】
【０００５】
現代人が必ず携帯しているスマートフォン（携帯情報通信端末）を収めるケースに御守りを収める機能をもたせかつ、御守りと一体化したスマートフォン（携帯情報通信端末）ケースを考案した。
【考案の効果】
【０００６】
現代人が必ず携帯しているスマートフォン（携帯情報通信端末）を収めるケースに御守りを収める機能をもたせかつ、御守りと一体化したスマートフォン（携帯情報通信端末）ケースの考案したことにより、御守りが必要とする常時携帯の用件を技術的に満たす事が可能となった。
【図面の簡単な説明】
【０００７】
【図１】図１は全面カバー型のスマートフォン（携帯情報通信端末）ケースの内側に御守りを収納し神社名を入れ一体化したケースの図例である。
【図２】図２は背面と側面をカバーするスマートフォン（携帯情報通信端末）ケースの内側に御守りを収納し神社名を入れ一体化したケースの図例である。
【図３】図３は側面をカバーするスマートフォン（携帯情報通信端末）ケースの内側に御守りを収納し神社名を入れ一体化したケースの図例である。
【図４】図４は御守りを収納する商品の実例（開閉式の扉で収納する仕様）である。
【図５】図５は御守りを収納する格納場所と挿入するお守りを示した図である。
【図６】図６は御守りを収納する機構の一例を示した図である。
【手続補正２】
【補正対象書類名】実用新案登録請求の範囲
【補正対象項目名】全文
【補正方法】変更
【補正の内容】
【実用新案登録請求の範囲】
【請求項１】
スマートフォン（携帯情報通信端末）のケース（全面カバー型、側面・背面カバー型、側面カバー型  等）に御守りを収納する機能性をもたせかつ、一体化したスマートフォンケース
【手続補正４】
【補正対象書類名】図面
【補正対象項目名】全図
【補正方法】変更
【補正の内容】
0003166135.tif 000005
【手続補正書】
【提出日】平成22年12月15日(2010.12.15)
【手続補正１】
【補正対象書類名】実用新案登録請求の範囲
【補正対象項目名】全文
【補正方法】変更
【補正の内容】
【実用新案登録請求の範囲】
【請求項１】
スマートフォンのケースに御守りを収納する機能をもたせかつ、一体化したスマートフォンケース。
【手続補正２】
【補正対象書類名】明細書
【補正対象項目名】全文
【補正方法】変更
【補正の内容】
【考案の詳細な説明】
【技術分野】
【０００１】
常時携帯する必要性を満たした、御守りを収める機能をもち、御守りと一体化したスマートフォン（携帯情報通信端末）ケース
【背景技術】
【０００２】
神社・仏閣などで授与される御守りは該当神社・仏閣で入魂・祈祷・祈願され授与された本人が信心し常時携帯することを必要としているが、従来の巾着型に見られる御守り
は携帯方法において常時持ち運ぶ（身につけておく）事が難しく、御守りが必要とする常時携帯の用件を技術的に満たしていなかった。
【０００３】
この常時携帯の必要性を満たす事を考えた結果、現代人が常時携帯している物としてスマートフォン（携帯情報通信端末）があり、このスマートフォン（携帯情報通信端末）のケースに御守りを収める機能をもたせ、一体化することにより、御守りが必要とする常時携帯の用件を技術的に満たす事が可能となった。
【考案の概要】
【考案が解決しようとする課題】
【０００４】
神社・仏閣などで授与される御守りは該当神社・仏閣で入魂・祈祷・祈願され授与された本人が信心し常時携帯することを必要としているが、従来の巾着型に見られる御守り
は携帯方法において常時持ち運ぶ（身につけておく）事が難しく、御守りが必要とする常時携帯の用件を技術的に満たしていなかった。
【課題を解決するための手段】
【０００５】
現代人が必ず携帯しているスマートフォン（携帯情報通信端末）を収めるケースに御守りを収める機能をもたせかつ、御守りと一体化したスマートフォン（携帯情報通信端末）ケースを考案した。
【考案の効果】
【０００６】
現代人が必ず携帯しているスマートフォン（携帯情報通信端末）を収めるケースに御守りを収める機能をもたせかつ、御守りと一体化したスマートフォン（携帯情報通信端末）ケースの考案したことにより、御守りが必要とする常時携帯の用件を技術的に満たす事が可能となった。
【図面の簡単な説明】
【０００７】
【図１】図１は全面カバー型のスマートフォン（携帯情報通信端末）ケースの内側に御守りを収納し神社名を入れ一体化したケースの図例である。
【図２】図２は背面と側面をカバーするスマートフォン（携帯情報通信端末）ケースの内側に御守りを収納し神社名を入れ一体化したケースの図例である。
【図３】図３は側面をカバーするスマートフォン（携帯情報通信端末）ケースの内側に御守りを収納し神社名を入れ一体化したケースの図例である。
【図４】図４は御守りを収納する商品の実例（透明かつ、開閉式の扉で収納する仕様）である。
【図５】図５は御守りを収納する格納場所と挿入するお守りを示した図である。
【図６】図６は御守りを収納する構造の一例を示した図である。
【手続補正３】
【補正対象書類名】図面
【補正対象項目名】全図
【補正方法】変更
【補正の内容】
【図１】
0003166135.tif 000006
【図２】
0003166135.tif 000007
【図３】
0003166135.tif 000008
【図４】
0003166135.tif 000009
【図５】
0003166135.tif 000010
【図６】
0003166135.tif 000011